(57)【要約】【課題】構造が簡単で安価かつ耐久性に優れる構造で、軸受の回転を防止できる電動送風機を提供する。【解決手段】本電動送風機は遠心ファンを出力軸を介して回転駆動するモータと、このモータの全体あるいは一部を収容するフレームと、このフレームの反遠心ファン側端部に設けられ、出力軸を支持する軸受を収容するハウジング部と、このハウジング部の側面に設けられ、ハウジング部に収容された軸受の外輪部が露出する切欠部と、ハウジング部に嵌められ、切欠部から露出する外輪部を押圧し固定する弾性リング状部材とを有する。【選択図】  図３
2009236024.tif 000002
【特許請求の範囲】
【請求項１】
ファンプレート間に複数のファンブレードが設けられた遠心ファンと、
この遠心ファンを被う扁平円筒形状のファンカバーと、
出力軸を介して前記遠心ファンを回転駆動するモータと、
このモータの全体あるいは一部を収容し、前記ファンカバー下流側に設けられたフレームと、
このフレームの反遠心ファン側端部に設けられ、出力軸を支持する軸受を収容するハウジング部と、
このハウジング部の側面に設けられ、前記ハウジング部に収容された軸受の外輪部が露出する切欠部と、
前記ハウジング部に嵌められ、前記切欠部から露出する前記外輪部を押圧し固定する弾性リング状部材とを有することを特徴とする電動送風機。
【請求項２】
前記弾性リング状部材と前記外輪部間に押圧部材を介在させ、この押圧部材により前記外輪部を押圧し固定することを特徴とする請求項１に記載の電動送風機。
【請求項３】
前記切欠部は出力軸を挟んで対向して一対設けられることを特徴とする請求項１または２に記載の電動送風機。
【請求項４】
前記弾性リング状部材は、前記モータを回転させて行なうエイジング後に前記ハウジング部に嵌められることを特徴とする請求項１ないし３のいずれか１項に記載の電動送風機。
【発明の詳細な説明】
【技術分野】
【０００１】
本発明は電動送風機に係り、特に軸受を固定する軸受固定手段を改良した電動送風機に関する。
【背景技術】
【０００２】
一般に掃除機に使用する電動送風機は、モータとこのモータにより回転される遠心ファンからなり、遠心ファンには、遠心型が用いられ、遠心ファンから排出された空気を整流するディフューザを備える。
【０００３】
従来の電動送風機は電動部の出力軸に遠心ファンを取付け、この遠心ファンをファンカバーで気密に覆う。遠心ファンは上下円盤状のプレートとこのプレートに固定されたブレードから構成され、遠心ファンを回転させ、この遠心ファンの中心に設けた空気吸込口から空気を吸い込み、ファン外周に排出させ、送風を行う（例えば、特許文献１参照）。
【０００４】
この特許文献１に記載の電動送風機では、出力軸を支持する軸受の外輪部と、有底円筒状のハウジング部との固定は、外輪部とハウジング部を、接着剤を用いて接着することで行なっていた。
【０００５】
しかし、この接着剤を用いる固定方法では、接着剤をベアリングキャップ上面より塗布していたため、目視での確認が困難であり、塗布量が多い場合にベアリング外輪から内輪に接着剤が流れてしまうことにより、騒音に起因する不良が発生するなどの品質問題があった。また、接着剤が少ない場合には、外輪部とハウジング部間でクリープが発生して発熱し、ハウジング部が膨張することで保持力が低下し、さらにクリープが促進され、悪循環となり、モータが焼損してしまう問題があった。また、接着剤を用いた固定方法は、生産性が劣る。
【０００６】
なお、特殊形状のモータキャップをハウジング部に装着し、軸受を固定するモータが提案されているが、この構造はモータキャップが複雑であり高価である（特許文献２）。
【特許文献１】特開２００２−３１０９０号公報
【特許文献２】特開平２−３２７８２号公報
【発明の開示】
【発明が解決しようとする課題】
【０００７】
本発明は上述した事情を考慮してなされたもので、構造が簡単で安価かつ耐久性に優れる構造で、軸受の回転を防止できる電動送風機を提供することを目的とする。
【課題を解決するための手段】
【０００８】
上述した目的を達成するため、本発明に係る電動送風機は、ファンプレート間に複数のファンブレードが設けられた遠心ファンと、この遠心ファンを被う扁平円筒形状のファンカバーと、出力軸を介して前記遠心ファンを回転駆動するモータと、このモータの全体あるいは一部を収容し、前記ファンカバー下流側に設けられたフレームと、このフレームの反遠心ファン側端部に設けられ、出力軸を支持する軸受を収容するハウジング部と、このハウジング部の側面に設けられ、前記ハウジング部に収容された軸受の外輪部が露出する切欠部と、前記ハウジング部に嵌められ、前記切欠部から露出する前記外輪部を押圧し固定する弾性リング状部材とを有することを特徴とする。
【発明の効果】
【０００９】
本発明に係る電動送風機によれば、構造が簡単で安価かつ耐久性に優れる構造で、軸受の回転を防止できる電動送風機を提供することができる。
【発明を実施するための最良の形態】
【００１０】
本発明の一実施形態に係る電動送風機について図面を参照して説明する。
【００１１】
図１は本発明の一実施形態の電動送風機の半断面図、図２は本実施形態の送風機に用いる軸受回転防止手段の側面図、図３および図４は、同じく軸受回転防止手段の縦断面図および横断面図である。
【００１２】
図１〜図４に示すように、電動送風機１は、遠心ファン２と、この遠心ファン２を覆うファンカバー３と、遠心ファン２を出力軸４を介して回転させるモータ５と、フレーム６とで構成される。
【００１３】
ファンカバー３には、上部中央に吸込開口部３ａが設けられ、さらに、ファンカバー３の下流側には、ディフューザ８が連設される。
【００１４】
モータ５は固定子５ａと回転子５ｂからなり、例えば、ブラシ付きモータを用い、固定子５ａの下流側に連設されるフレーム６には、モータ５の全体あるいは一部例えば回転子５ｂが収容される。
【００１５】
フレーム６は正面視ほぼ六字形状をなし、中央頂部にあたる位置例えば反遠心ファン側端部には、ハウジング部７が設けられ、このハウジング部７には、出力軸４を支持する軸受９が収容される。
【００１６】
ハウジング部７の底部には透孔７ａが設けられ、この透孔７ａに対向するように、出力軸４の軸端を覆うようにモータキャップ１１が設けられ、さらに、軸受９の端面９ｂとハウジング部７の底部間には、モータキャップ１１を離間して囲うように、断面波状でリング形状のスラストバネ１２が設けられる。
【００１７】
ハウジング部７には軸受回転防止手段Ｍが設けられる。
【００１８】
この軸受回転防止手段Ｍは、軸受９が収容されるハウジング部７に設ける切欠部７ｂと、この切欠部７ｂから露出する軸受９の外輪部９ａと、ハウジング部７に嵌められ、外輪部９ａを押圧する弾性リング状部材１３からなる。
【００１９】
図５に示すように、切欠部７ｂはハウジング部７の円筒状側面に、ハウジング部７の直径と平行に切欠され、フレーム６の成形時、成形型により同時に成形される。
【００２０】
図４及び図６に示すように、ハウジング部７に軸受９が収容され、外輪部９ａの一部が切欠部７ｂから露出した状態で、図７に示す弾性リング状部材１３をハウジング部７に嵌め、弾性リング状部材１３により外輪部９ａを押圧し、固定する。弾性リング状部材１３は、モータ５を回転させて行なうエイジング後にハウジング部７に嵌められるのが好ましい。
【００２１】
弾性リング状部材１３の材質としては、合成ゴム、天然ゴムなどがあげられる。弾性リング状部材１３は、合成ゴム、天然ゴムなどで作製されるので、外輪部９ａと弾性リング状部材１３間で滑りが生じず、軸受９が強固に固定される。
【００２２】
上記構成において、電動送風機１は出力軸４が回転すると、この回転に伴って遠心ファン２が回転し、この回転によって空気が吸引される。
【００２３】
この空気は、ファンカバー３の前面側に形成された吸込開口部３ａを介して空気吸込口２ａから遠心ファン２に吸い込まれ、ファンブレード２ｂにより加圧され、排出口２ｃから吹き出される。
【００２４】
そして、この空気は、ファンカバー３の内周面に沿ってディフューザ８の吸込口部８ａを介して流入側円弧状ブレード８ｂ間を、軸方向に広がるように流れる。
【００２５】
さらに、軸方向に広がるように流れた空気は、固定子５ａと回転子５ｂ間に設ける通気路、フレーム６に設ける排気孔から電動送風機１外に排出される。
【００２６】
一方、回転子５ｂ、出力軸４及び遠心ファン２が回転するため、軸受９に回転力が伝播される。
【００２７】
また、外輪部９ａの外径およびハウジング部７の側面の内径寸法は、精密精度で製造され、スラストバネ１２がさらに、軸受９の端面９ｂを押圧しているので、軸受９の回動は抑制されている。それでも、長時間あるいは長期間、電動送風機１が使用されると、モータ５、軸受９の発熱によって、ハウジング部７に変形が生じ、軸受９が回動し易くなる。
【００２８】
しかしながら、本電動送風機１は、軸受回転防止手段Ｍを用い、ハウジング部７の側面に設けた切欠部７ｂを介して、外輪部９ａを押圧し固定しているので、軸受９の回転が抑制される。この軸受９の回転の抑制により、発熱が抑制され、さらなるハウジング部７の変形が防止される。
【００２９】
また、軸受回転防止手段Ｍは、接着剤を一切使用していないので、ベアリング外輪から内輪に接着剤が流れることがなく、騒音に起因する不良などの品質問題も発生しない。さらに、接着剤が少ない場合には、ハウジング部が熱膨張し、保持力が低下してクリープを発生させ、モータが焼損してしまう問題も解消できる。
【００３０】
また、軸受回転防止手段Ｍは、弾性リング状部材１３をハウジング部７に嵌め、弾性リング状部材１３により外輪部９ａを押圧し、固定するので、接着剤を用いた固定方法に比べて生産性が向上する。さらに、モータ点検のサービス時などにも、弾性リング状部材１３をハウジング部７から外すだけで、軸受９の固定を解除できるので、サービス性も優れる。
【００３１】
さらに、弾性リング状部材１３は、モータ５を回転させて行なうエイジング後にハウジング部７に嵌められるので、弾性リング状部材１３を嵌めても、モータ（回転軸）の中心位置がずれることがなく、モータの中心位置が保持される。
【００３２】
なお、図８および図９に示すように、ハウジング部７に一対、各々対向して設けた円弧状の切欠部７ｂ、７ｂを介して外輪部９ａを、切欠部７ｂ、７ｂに収まる２個の円弧状の押圧部材１４、１４を用いて弾性リング状部材１３により押圧し固定するようにしてもよい。
【００３３】
これにより、上記実施形態と同様に接着剤を使用せずに軸受９の外輪部９ａとハウジング部７間をより強固に固定することができる。押圧部材１４、１４の外輪部９ａとの当接面および弾性リング状部材１３との当接面は、滑りを抑制するため、ブラスト処理などにより、面荒れさせておくのが好ましく、押圧部材１４、１４の外周面は円弧状に凹まし、弾性リング状部材１３が係合するようにするのが、好ましい。
【００３４】
本実施形態の電動送風機によれば、構造が簡単で安価かつ耐久性に優れる構造で、軸受の回転を防止できる電動送風機が実現される。
【図面の簡単な説明】
【００３５】
【図１】本発明の一実施形態に係る電動送風機の半断面図。
【図２】本発明の一実施形態に係る電動送風機に用いる軸受回転防止手段の側面図。
【図３】本発明の一実施形態に係る電動送風機に用いる軸受回転防止手段の縦断面図。
【図４】本発明の一実施形態に係る電動送風機に用いる軸受回転防止手段の横断面図。
【図５】本発明の一実施形態に係る電動送風機に用いるフレームの側面図。
【図６】本発明の一実施形態に係る電動送風機に用いるハウジング部に軸受を挿入した状態を示す側面図。
【図７】本発明の一実施形態に係る電動送風機に用いる弾性リング状部材の平面図。
【図８】本発明の他の実施形態に係る電動送風機に用いる軸受回転防止手段の縦断面図。
【図９】本発明の他の実施形態に係る電動送風機に用いる軸受回転防止手段の横断面図。
【符号の説明】
【００３６】
１  電動送風機
２  遠心ファン
２ａ  空気吸込口
２ｂ  ファンブレード
２ｃ  排出口
３  ファンカバー
３ａ  吸込開口部
４  出力軸
５  モータ
５ａ  固定子
５ｂ  回転子
６  フレーム
７  ハウジング部
７ａ  透孔
７ｂ  切欠部
８  ディフューザ
８ａ  吸込口部
８ｂ  円弧状ブレード
９  軸受
９ａ  外輪部
９ｂ  端面
１１  モータキャップ
１２  スラストバネ
１３  弾性リング状部材
１４  押圧部材
Ｍ  軸受回転防止手段
【図１】
2009236024.tif 000003
【図２】
2009236024.tif 000004
【図３】
2009236024.tif 000005
【図４】
2009236024.tif 000006
【図５】
2009236024.tif 000007
【図６】
2009236024.tif 000008
【図７】
2009236024.tif 000009
【図８】
2009236024.tif 000010
【図９】
2009236024.tif 000011